(57)【特許請求の範囲】
【請求項１】
対向する床梁に複数の床小梁がほぼ平行に差し渡され、このほぼ平行な対向する床小梁のほぼ中央に横架材が差し渡され、この横架材の中央にダンパーを介して錘が吊り下げられていることを特徴とする床構造。
【請求項２】
対向する床梁に複数の床小梁がほぼ平行に差し渡され、このほぼ平行な対向する床小梁のほぼ中央に横架材が差し渡され、この横架材の中央にダンパーを介して錘が吊り下げられ、更に、この平行な床小梁の上に床根太が差し渡されて取り付けられ、この床根太の上に床材が取り付けられ、この床材の上に制振シートが取り付けられていることを特徴とする床構造。
【請求項３】
下階の天井と上階の床との間に吸音材が設けられ、上階の対向する床梁に複数の床小梁がほぼ平行に差し渡され、このほぼ平行な対向する床小梁のほぼ中央に横架材が差し渡され、この横架材の中央にダンパーを介して錘が吊り下げられていることを特徴とする床構造。
【請求項４】
下階の天井と上階の床との間に吸音材が設けられ、上階の対向する床梁に複数の床小梁がほぼ平行に差し渡され、このほぼ平行な対向する床小梁のほぼ中央に横架材が差し渡され、この横架材の中央にダンパーを介して錘が吊り下げられ、更に、この平行な床小梁の上に床根太が差し渡されて取り付けられ、この床根太の上に床材が取り付けられ、この床材の上に制振シートが取り付けられていることを特徴とする床構造。
【請求項５】
前記ダンパーが、ゴム製の上板と金属製の側壁と金属製の下板とからなる密封容器と、この密封容器の上板を貫通した状態に上板に取り付けられた軸と、密封容器の中に充填された粘稠な液体と、密封容器の側壁との間に小さな隙間を設けた状態にして密封容器内の軸に取り付けられたダンピングプレートとからなる液封ダンパーであり、前記錘が１０ｋｇ〜３０ｋｇの重量になされていることを特徴とする請求項１〜４のいずれかに記載の床構造。
【請求項６】
床構造が請求項１または２に記載の床構造になされていることを特徴とする建物ユニット。
【発明の詳細な説明】
【０００１】
【発明の属する技術分野】
本発明は床衝撃音を低減させた床構造と、この床構造を備えた建物ユニットに関する。
【０００２】
【従来の技術】
従来、上階の床の上を子供が飛び跳ねたり、人が歩いたり、床の上に物を落下させると、床が振動し、この振動によって発生する衝撃音が下階に響いて、下階に居る人の迷惑になる。
かかることを防ぐために従来種々な床構造が知られている。
例えば、特開昭６２−５９７４５号公報には、対向する床梁に床小梁が差し渡された骨格を備えた床構造であって、この床小梁が床梁に、防振パッドを介在させた板バネで連結された床構造が記載されている。
【０００３】
又、特公平４−１３９号公報には、ウエッブとフランジとからなる鋼製の対向する床梁と、この対向する床梁の間に差し渡された鋼製の床小梁と、床梁と床小梁の端部とを連結する連結片とからなる床構造であって、床梁のウエッブ面と連結片との間にゴム等の防振材を挟んで床梁と連結片が、又、床小梁と連結片との間にゴム等の防振材を挟んで床小梁と連結片が、それぞれ連結されている床構造が記載されている。
【０００４】
又、特開昭６３−３０４８７２号公報には、対向する床梁に複数の床小梁がほぼ平行に差し渡され、このほぼ平行な対向する床小梁に制振材の両端部を取り付けた床構造が記載されている。
尚、この制振材としてはパーチクルボードや、パーチクルボードの中央部に錘を取り付けた例が記載されている。
【０００５】
【発明が解決しようとする課題】
しかし、上記床構造は床の振動を制御し、衝撃音を小さくすることができるが、建物の部屋の中は静かであるほど好ましい。そして、ＪＩＳで規定されている測定方法でＬ−５５レベルまで低下させることが良好な防音床の一応の目安とされている。
そして、軽量床衝撃音（ＬＬ）をＬＬ＝５５レベルまで低減させることは、上記公報記載の床構造にすることにより、比較的に簡単に達成できるが、重量床衝撃音（ＬＨ）をＬＨ−５５レベルまで低減させることは困難である。
そこで、本発明の目的は、重量衝撃音をＬＨ−５５レベルまで低減させることのできる床構造を提供することである。
【０００６】
【課題を解決するための手段】
本発明は上記目的を達成するためになしたものであって、請求項１記載の発明は、対向する床梁に複数の床小梁がほぼ平行に差し渡され、このほぼ平行な対向する床小梁のほぼ中央に横架材が差し渡され、この横架材の中央にダンパーを介して錘が吊り下げられている床構造を特徴とするものである。
【０００７】
請求項２記載の発明は、対向する床梁に複数の床小梁がほぼ平行に差し渡され、このほぼ平行な対向する床小梁のほぼ中央に横架材が差し渡され、この横架材の中央にダンパーを介して錘が吊り下げられ、更に、この平行な床小梁の上に床根太が差し渡されて取り付けられ、この床根太の上に床材が取り付けられ、この床材の上に制振シートが取り付けられている床構造を特徴とするものである。
【０００８】
請求項３記載の発明は、下階の天井と上階の床との間に吸音材が設けられ、上階の対向する床梁に複数の床小梁がほぼ平行に差し渡され、このほぼ平行な対向する床小梁のほぼ中央に横架材が差し渡され、この横架材の中央にダンパーを介して錘が吊り下げられている床構造を特徴とするものである。
【０００９】
請求項４記載の発明は、下階の天井と上階の床との間に吸音材が設けられ、上階の対向する床梁に複数の床小梁がほぼ平行に差し渡され、このほぼ平行な対向する床小梁のほぼ中央に横架材が差し渡され、この横架材の中央にダンパーを介して錘が吊り下げられ、更に、この平行な床小梁の上に床根太が差し渡されて取り付けられ、この床根太の上に床材が取り付けられ、この床材の上に制振シートが取り付けられている床構造を特徴とするものである。
【００１０】
この請求項２記載の発明と請求項４記載の発明に記載されている制振シートとは、振動を制することのできるシートのことであって、鉛板や、金属や無機物（例えば、鉛、酸化鉄、硫酸バリウム、炭酸カルシウム、製鉄スラグ、鉱石、ガラス、ジルコンサンド、クロマイトサンド、珪砂）等の比重の大きな粉末を含んだアスファルト、ゴム、軟質合成樹脂等の柔軟なシートや、上記鉛板や柔軟なシートの表面に樹脂発泡体シートや不織布等の吸音材を積層したものが好適である。
【００１１】
又、請求項３記載の発明と請求項４記載の発明に記載されている吸音材とは音を吸収する性質を有するものであって、ガラス繊維、ロックウール、天然繊維、合成繊維等の繊維を板状にしたものや、合成樹脂やゴム等を発泡させた板状の発泡体が好適である。
【００１２】
請求項１〜４記載の発明におけるダンパーとは弾性体と粘性体とを適当に組み合わせて、振動を急速に静めるようにしたものである。このダンパーとしては種々あるが、床梁、床小梁、床根太等の振動を静めるダンパーとしては、請求項５に記載されている液封ダンパーが、上階の床と下階の天井の間の狭い場所に取り付けることができ、しかも、効果が大きいので、最も好適である。
【００１３】
即ち、請求項５記載の発明は、請求項１〜４のいずれかに記載の発明に係り、前記ダンパーが、ゴム製の上板と金属製の側壁と金属製の下板とからなる密封容器と、この密封容器の上板を貫通した状態に上板に取り付けられた軸と、密封容器の中に充填された粘稠な液体と、密封容器の側壁との間に小さな隙間を設けた状態にして密封容器内の軸に取り付けられたダンピングプレートとからなる液封ダンパーであり、前記錘が１０ｋｇ〜３０ｋｇの重量になされている床構造を特徴とするものである。
【００１４】
この請求項５記載の発明における粘稠な液体とは粘度の高い液体のことであって、シリコーンオイル、潤滑油、植物油等が好適である。
【００１５】
請求項６記載の発明は、床構造が請求項１または２に記載の床構造になされている建物ユニットを特徴とするものである。
【００１６】
（作用）
請求項１記載の発明では、ほぼ平行な対向する床小梁のほぼ中央に横架材が差し渡され、この横架材の中央にダンパーを介して錘が吊り下げられているので、床の上を子供が飛び跳ねたり、人が歩いたり、床の上に物を落下させたりして床が振動して床小梁が振動すると、この床小梁に差し渡された横架材、ダンパーを経て錘が振動する。又、この錘の振動は、反射して、反対方向、即ち、ダンパー、横架材を経て床小梁を振動させる。この両方の振動はダンパーを通過する間に大きく減衰する。
【００１７】
又、床小梁は長く、しかも、両端は床梁に取り付けられているし、錘は重く、しかも、単に吊り下げられているだけであるので、両者の固有振動は大きく異なり、この異なる固有振動の両者を振動させるために大きなエネルギーが消耗され、全体が振動し難くなっている。
このように、床振動がダンパーによる減衰と、床小梁と錘の固有振動が異なり振動し難いことの相乗効果で、床振動は急激に低減し、床衝撃音が低くなる。
特に、このダンパーは、重量床衝撃を効果的に低減させることができ、ＬＨ−５５を達成することができる。
【００１８】
請求項２記載の発明では、請求項１記載の発明と同様に、対向する床梁に複数の床小梁がほぼ平行に差し渡され、このほぼ平行な対向する床小梁のほぼ中央に横架材が差し渡され、この横架材の中央にダンパーを介して錘が吊り下げられているので、床振動がダンパーによる減衰と、床小梁と錘の固有振動が異なり振動し難いことの相乗効果で、床の上を子供が飛び跳ねたり、人が歩いたり、床の上に物を落下させたりして床が振動しても、この床振動は急激に低減する。
【００１９】
更に、この請求項２記載の発明では、平行な床小梁の上に床根太が差し渡されて取り付けられ、この床根太の上に床材が取り付けられ、この床材の上に制振シートが取り付けられているので、この制振シートの上を子供が飛び跳ねたり、人が歩いたり、制振シートの上に物を落下させたりしても、制振シートによって衝撃が緩和されて床材や、その下の床根太、床小梁が振動し難くなっている。
このようになっているので、請求項１記載の発明より更に床振動が小さくなり、重量床衝撃のみならず軽量床衝撃音も効果的に低減させることができ、ＬＨ−５５、ＬＬ−５５を達成することができる。
【００２０】
請求項３記載の発明では、上階の対向する床梁に複数の床小梁がほぼ平行に差し渡され、このほぼ平行な対向する床小梁のほぼ中央に横架材が差し渡され、この横架材の中央にダンパーを介して錘が吊り下げられているので、上階の床が請求項１記載の発明と同様の作用、即ち、床振動がダンパーで減衰することと、床小梁と錘の固有振動の異なりで振動し難いことの相乗効果で、上階の床の上を子供が飛び跳ねたり、人が歩いたり、床の上に物を落下させたりして床が振動しても、この床振動は急激に低減する。
【００２１】
更に、この請求項３記載の発明では、下階の天井と上階の床との間に吸音材が設けられているので、上階の床振動によって発生する衝撃音が、この下階の天井と上階の床との間に設けられている吸音材によって吸収されて、下階に届き難い。
従って、下階では、請求項１記載の発明より更に床振動によって発生する衝撃音が下階まで伝わり難く、ＬＨ−５５、ＬＬ−５５を達成することができる。
【００２２】
請求項４記載の発明では、請求項３記載の発明と同様に、下階の天井と上階の床との間に吸音材が設けられ、上階の対向する床梁に複数の床小梁がほぼ平行に差し渡され、このほぼ平行な対向する床小梁のほぼ中央に横架材が差し渡され、この横架材の中央にダンパーを介して錘が吊り下げられているので、下階では、上階の床振動によって発生する衝撃音が下階まで伝わり難く、ＬＨ−５５、ＬＬ−５５まで低減させることができる。
【００２３】
更に、この請求項４記載の発明では、平行な床小梁の上に床根太が差し渡されて取り付けられ、この床根太の上に床材が取り付けられ、この床材の上に制振シートが取り付けられているので、この制振シートの上を子供等が飛び跳ねたり、人が歩いたり、制振シートの上に物を落下させても、この床振動は制振シートによって緩和されて床材や、その下の床根太、床小梁が振動し難く、請求項３記載の発明より更に床振動が小さく、重量床衝撃でも効果的に低減させることができ、ＬＨ−５５を達成することができる。
【００２４】
請求項５記載の発明では、ダンパーが、ゴム製の上板と金属製の側壁と金属製の下板とからなる密封容器と、この密封容器の上板を貫通した状態に上板に取り付けられた軸と、密封容器の中に充填された粘稠な液体と、密封容器の側壁との間に小さな隙間を設けた状態にして密封容器内の軸に取り付けられたダンピングプレートとからなる液封ダンパーであり、錘が１０ｋｇ〜３０ｋｇの重量になされているので、床小梁に錘をこの液封ダンパーを介して吊り下げると、床小梁から横架材を通って軸に伝わった振動は、液封ダンパーを通って錘を振動させるし、この錘の振動は反射して液封ダンパーを通って床小梁を振動させる。
【００２５】
この際、この両方の振動は、軸に取り付けられたゴムによる弾性と、ダンピングプレートと密封容器の側壁との間に設けられた小さな隙間を往復移動する粘稠な液体の粘性とにより、大きく減衰する。
又、錘は１０ｋｇ〜３０ｋｇと重く、しかも、床の横架材に単に吊り下げられているだけであるので、床本体と錘の両者の固有振動は大きく異なり、この固有振動数の異なる両者を振動させるために、大量のエネルギーが消費され、振動し難くなっている。
【００２６】
このように、床振動は、液封ダンパーによる減衰と、床小梁と錘の固有振動が異なり振動し難いことの相乗効果により急激に減衰する。
このようにして、請求項５記載の液封ダンパーでは重量床衝撃でも効果的に低減させることができ、ＬＨ−５５を達成させることができる。
更に、上記液封ダンパーと錘の組み合わせでは、液封ダンパーの側壁や下板に錘を、この液封ダンパーとほぼ同じ高さにして、取り付けることにより、高さを低くすることができ、下階の天井と上階の床との間の狭い場所にも簡単に取り付けることができる。
【００２７】
請求項６記載の発明では、床構造が請求項１または２に記載の床構造になされている建物ユニットであるので、ダンパーや錘を横架材に、工場等の設備の整った場所で早く、寸法精度よく取り付けることができる。
そして、この建物ユニットを据え付けるだけで、床振動が少なく、従って、床衝撃音の発生が極めて小さいＬＨ−５５を達成することのできるユニット建物とすることができる。
【００２８】
【発明の実施の形態】
次に、本発明の実施の形態を実施例で説明する。
（実施例１）
図１〜図８は本発明の一実施例を示すもので、図１はユニット建物を示す斜視図、図２は１階の建物ユニットを示す一部切欠斜視図、図３は２階の建物ユニットを示す一部切欠斜視図、図４は図３のＡ部分を拡大して示す斜視図、図５は図４のＢ−Ｂ線における断面図、図６はダンパーの位置を示す床の平面図、図７はダンパーの一部切欠平面図、図８は図７のＣ−Ｃ線における断面図である。
【００２９】
図１〜図８において、Ｕはユニット建物であり、このユニット建物Ｕは、図１に示すように、基礎９の上に９個の建物ユニット１が据え付けられて１階が形成され、この１階の建物ユニット１の上に９個の建物ユニット２が据え付けられて２階が形成され、この２階の建物ユニット２の上に屋根パネル３が取り付けられたものである。
【００３０】
１階の建物ユニット１は、図２に示すように、矩形の四隅に立設された４本の鋼製の四角筒体の柱１１と、この４本の柱１１の下端部を矩形の辺に沿って連結した４本の鋼製の断面コ字形の長尺体の床梁１２と、この４本の柱１１の上端部を矩形の辺に沿って連結した４本の鋼製の断面コ字形の長尺体の天井梁１３とからなる骨格を備えている。
【００３１】
そして、この建物ユニット１は、この骨格の対向する長辺の床梁１２、１２に複数本の鋼製の四角筒体の床小梁１５がほぼ平行に差し渡されて取り付けられ、この床小梁１５の上に木製の床根太１６が取り付けられ、この上にパーチクルボードの床材１４が取り付けられて床が形成され、対向する長辺の天井梁１３、１３に複数本の木製の天井野縁１７がほぼ平行に差し渡されて取り付けられ、この天井野縁１７の下面に石膏ボードの天井材１８が取り付けられて天井が形成され、外壁を設ける場所には、床梁１２と天井梁１３との間に間柱１９が取り付けられ、この間柱１９の屋外側と屋内側にそれぞれ外壁材と内壁材とが取り付けられ、この外壁材と内壁材との間にガラスウールの断熱材が設けられて壁が形成されたものである。
【００３２】
２階の建物ユニット２を１階の建物ユニット１と比較すると、図３〜図６に示すように、２階の建物ユニット２の柱２１、床梁２２、天井梁２３、床小梁２５、床根太２６、床材２４、天井野縁２７、天井材２８、間柱２９、外壁材、内壁材、断熱材等は、１階の建物ユニット１とほぼ同じであるが、ほぼ平行に差し渡された対向する床小梁２２、２２のほぼ中央に横架材４が架け渡され、この横架材４に液封ダンパー５を介して錘６が取り付けられていることが異なる。
【００３３】
次に、この液封ダンパー５と錘６について説明する。
液封ダンパー５は、図７および図８に示すように、ゴム製の上板５１１と金属製の側壁５１２と金属製の下板５１３とからなる密封容器５１と、この密封容器５１の上板５１１を貫通した状態に上板５１１に取り付けられた軸５２と、密封容器５１の中に充填されたシリコーンオイル５３と、密封容器５１の軸５２に取り付けられたダンピングプレート５４とからなる。
【００３４】
尚、ダンピングプレート５４と密封容器５１の側壁５１２との間には小さな隙間５９が設けられているし、軸５２の上端部には雄ネジ５２１が形成されている。
錘６は中央部分に軸５２が通過可能な通孔６１を有する円盤６２と、この円盤６２に一体に設けられた重量部６３とからなり、この錘６の全体の重量はほぼ２０ｋｇである。そして、この錘６は、液封ダンパー５にビス６９で、側壁５１２の上に載せられ、側壁５１２の側方のほぼ同じ高さに、取り付けられている。
【００３５】
そして、図４および図５に示すように、対向する床小梁２５、２５のほぼ中央部に横架材４が架け渡され、この横架材４の中央に設けられた通孔４１に液封ダンパー５の軸５２の先端に設けられた雄ネジ５２１が挿入され、この雄ネジ５２１に螺着されたナット５５で液封ダンパー５と錘６が床小梁２５に取り付けられている。
【００３６】
かかる構造の液封ダンパー５と錘６は、高さが極めて小さくコンパクトな構造になっているので、建物ユニット２の狭い床下に設置することができる。
このようにして、図６に示す４ヵ所に液封ダンパー５と錘６が取り付けられている。
９９はカーペット、化粧合板、畳等の床仕上げ材である。
この実施例においては床仕上げ材９９にカーペットを使用している。
【００３７】
次に、このユニット建物Ｕの施工方法および作用について説明する。
工場で、１階の建物ユニット１、２階の建物ユニット２、屋根パネル３を製造する。
この際、ユニット建物２では、床小梁２５に液封ダンパー５を介して錘６が横架材４に吊り下げられているから、液封ダンパー５と錘６を工場等の設備の整った場所で速く、寸法精度よく取り付けることができる。
この１階の建物ユニット１、２階の建物ユニット２、屋根パネル３を施工現場に運搬する。
【００３８】
施工現場では、予め設けられている基礎９の上に、９個の建物ユニット１を据え付けて１階を形成し、この１階の建物ユニット１の上に９個の建物ユニット２を据え付けて２階を形成し、この２階の建物ユニット２の上に屋根パネル３を取り付けたり、床仕上げ材９９を敷いたり、種々な仕上げを行うと、ユニット建物Ｕが完成する。
【００３９】
このようにして完成されたユニット建物Ｕでは、２階の建物ユニット２のほぼ平行な対向する床小梁２５のほぼ中央に横架材４が差し渡され、この横架材４に液封ダンパー５を介して錘６が吊り下げられている。
従って、この上を子供が飛び跳ねたり、人が歩いたり、床の上に物を落下させたりして床が振動し、床小梁２５が振動すると、この床小梁２５に差し渡された横架材４、液封ダンパー５を通って錘６が振動する。又、この錘６の振動は、反射して反対方向、即ち、液封ダンパー５、横架材４に進んで床小梁２５を振動させる。この両方の振動は液封ダンパー５を通過する間に大きく減衰する。
【００４０】
即ち、液封ダンパー５の密封容器５１の上板５１１の上に突出している軸５２が横架材４に取り付けられ、密封容器５１の側壁５１２に錘６が取り付けられているから、床小梁２５から横架材４を通って軸５２に伝わった振動は、軸５２に取り付けられたゴム製の上板５１１の弾性と、ダンピングプレート５４と密封容器５１の側壁５１２との間の小さな隙間５９を往復移動する粘稠なシリコーンオイル５３の粘性とにより、大きく減衰するのである。
【００４１】
又、錘６がほぼ２０ｋｇで重く、しかも、単に吊り下げられているから、長く、しかも、両端が床梁に取り付けられている床小梁２５とは、固有振動が大きく異なる。このように固有振動の大きく異なる両者を振動させるために、大量のエネルギーが消費されるので、振動し難くなっている。
このように、床振動が液封ダンパー５による減衰と、床小梁２５と錘６の異なる固有振動により振動し難くなっていることの相乗効果で、この床振動は急激に低減し、床衝撃音が極めて低くなる。
【００４２】
実際に、このユニット建物Ｕの２階の建物ユニット２の床の上に錘を落下させて重量衝撃音を発生させて、１階の建物ユニット１の部屋でこの衝撃音をＪＩＳに定めた測定方法で測定したところ、ＬＨ−５５以下であった。
【００４３】
（実施例２）
図９〜図１６は本発明の他の実施例を示すもので、図９（イ）はユニット建物を示す斜視図、（ロ）は（イ）のＤ部分（１階の天井と２階の床部分）を各構成部材に分解して示す斜視図、図１０は１階の建物ユニットを示す一部斜視図、図１１は２階の建物ユニットを示す一部切欠斜視図、図１２は図１１のＥ部分を拡大して示す斜視図、図１３は液封ダンパーの位置を示す床の平面説明図、図１４（イ）は液封ダンパーの取付状態を示す平面図、（ロ）は（イ）の正面図、（ハ）は（イ）の側面図、図１５は液封ダンパーの断面図、図１６は液封ダンパーを取り付けている状態を示す斜視図である。
【００４４】
図９〜図１６において、Ｕａはユニット建物であり、このユニット建物Ｕａは、図９に示すように、基礎９ａの上に９個の建物ユニット１ａが据え付けられて１階が形成され、この１階の建物ユニット１ａの上に９個の建物ユニット２ａが据え付けられて２階が形成され、この２階の建物ユニット２ａの上に屋根パネル３ａが取り付けられたものである。
【００４５】
１階の建物ユニット１ａは、図１０に示すように、矩形の四隅に立設された４本の鋼製の四角筒体の柱１１ａと、この４本の柱１１ａの下端部を矩形の辺に沿って連結した４本の鋼製の断面コ字形の長尺体の床梁１２ａと、この４本の柱１１ａの上端部を矩形の辺に沿って連結した４本の鋼製の断面コ字形の長尺体の天井梁１３ａとからなる骨格を備えている。
【００４６】
そして、この建物ユニット１ａは、この骨格の対向する長辺の床梁１２ａ、１２ａに複数本の鋼製の四角筒体の床小梁１５ａがほぼ平行に差し渡されて取り付けられ、この床小梁１５ａの上に木製の床根太１６ａが取り付けられ、この上にパーチクルボードの床材１４ａが取り付けられて床が形成され、対向する長辺の天井梁１３ａ、１３ａに複数本の木製の天井野縁１７ａがほぼ平行に差し渡されて取り付けられ、この天井野縁１７ａの下面に石膏ボードの天井材１８ａが取り付けられ、天井野縁１７ａの上に合板の補強板７５ａが載せられ、この補強板７５ａの上に仕切り板７６ａとロックウール板の吸音材７ａが取り付けられて天井が形成され、外壁を設ける場所には、床梁１２ａと天井梁１３ａとの間に間柱１９ａが取り付けられ、この間柱１９ａの屋外側と屋内側にそれぞれ外壁材と内壁材とが取り付けられ、この外壁材と内壁材との間にガラスウールの断熱材が設けられて壁が形成されたものである。
【００４７】
２階の建物ユニット２ａは、図１１に示されている。
即ち、建物ユニット２ａは、建物ユニット１ａと同じように、矩形の四隅に立設された４本の鋼製の四角筒体の柱２１ａと、この４本の柱２１ａの下端部を矩形の辺に沿って連結した４本の鋼製の断面コ字形の長尺体の床梁２２ａと、この４本の柱２１ａの上端部を矩形の辺に沿って連結した４本の鋼製の断面コ字形の長尺体の天井梁２３ａとからなる骨格を備えている。
【００４８】
そして、この建物ユニット２ａを建物ユニット１ａと比較すると、ほぼ平行に差し渡された床小梁１２ａ、１２ａのほぼ中央に横架材４ａが架け渡され、この横架材４ａに液封ダンパー５ａを介して錘６ａが取り付けられていること、床根太２６ａの上にパーチクルボードの床材２４ａが取り付けられ、この床材２４ａの上に合成ゴムの中に炭酸カルシウム粉末を含有させた制振シート８ａが設けられていること、天井野縁１７ａの上に吸音材がないことが異なる。
【００４９】
即ち、建物ユニット２ａは、この骨格の対向する長辺の床梁２２ａ、２２ａに複数本の鋼製の四角筒体の床小梁２５ａがほぼ平行に差し渡されて取り付けられ、この床小梁２５ａの上に木製の床根太２６ａが取り付けられ、この上にパーチクルボードの床材１４ａが取り付けられ、このほぼ平行に差し渡された床小梁１２ａ、１２ａのほぼ中央に横架材４ａが架け渡され、この横架材４ａに液封ダンパー５ａを介して錘６ａが取り付けられ、床根太２６ａの上に床材２４ａが取り付けられ、この床材２４ａの上に制振シート８ａが取り付けられて床が形成され、対向する長辺の天井梁２３ａ、２３ａに複数本の木製の天井野縁２７ａがほぼ平行に差し渡されて取り付けられ、この天井野縁２７ａの下面に石膏ボードの天井材２８ａが取り付けられて天井が形成され、外壁を設ける場所には、床梁２２ａと天井梁２３ａとの間に間柱２９ａが取り付けられ、この間柱２９ａの屋外側と屋内側にそれぞれ外壁材と内壁材とが取り付けられ、この外壁材と内壁材との間にガラスウールの断熱材が設けられて壁が形成されたものである。
【００５０】
次に、この液封ダンパー５ａと錘６ａについて説明する。
液封ダンパー５ａは、図１５に示すように、ゴム製の上板５１１ａと金属製の円筒状の側壁５１２ａと金属製の下板５１３ａとからなる密封容器５１ａと、この密封容器５１ａの上板５１１ａを貫通した状態に上板５１１ａに取り付けられた軸５２ａと、密封容器５１ａの中に充填されたシリコーンオイル５３ａと、密封容器５１の軸５２ａに取り付けられたダンピングプレート５４ａとからなる。
【００５１】
尚、ダンピングプレート５４ａと密封容器５１ａの側壁５１２ａとの間には小さな隙間５９ａが設けられているし、軸５２ａの上端部には雄ネジ５２１ａが形成されている。
錘６ａは、中央部分に軸５２ａが通過可能な通孔６１ａを有する四角状の上盤６２ａと、この上盤６２ａに一体に設けられた内周が円で外周が四角の断面を有する筒体の重量部６３ａと、四角状の下盤６４ａとからなり、この錘６ａの全体の重量はほぼ２５ｋｇである。
【００５２】
そして、この錘６ａは、ダンピングプレート５４ａを包む状態にして、側壁５１２ａの上に載せられ、上盤６２ａから側壁５１２ａに螺入されたビス６９ａで液封ダンパー５ａに取り付けられている。
そして、図１６に示すように、対向する床小梁２５ａ、２５ａのほぼ中央部に横架材４ａが架け渡され、ビス４５ａで固定され、この横架材４ａの中央に設けられた通孔に液封ダンパー５ａの軸５２ａの先端に設けられた雄ネジ５２１ａが挿入され、この雄ネジ５２１ａに螺着されたナット５５ａで液封ダンパー５ａと錘６ａが床小梁２５ａに取り付けられている。
【００５３】
尚、この横架材４ａは、ほぼ垂直な係止部４１１ａを有する梁取付部材４１ａとダンパー取付部材４２ａとが溶接で連結されたものである。
このようにして、図１４に示す３ヵ所に液封ダンパー５ａと錘６ａが取り付けられている。
かかる構造の液封ダンパー５ａと錘６ａは、高さが極めて小さくコンパクトな構造になっているので、建物ユニット２ａの狭い床下に設置することができる。
９９ａはカーペット、化粧合板、畳等の床仕上げ材である。
この実施例においては床仕上げ材９９ａにカーペットを使用している。
【００５４】
次に、このユニット建物Ｕａの施工方法および作用について説明する。
工場で、１階の建物ユニット１ａ、２階の建物ユニット２ａ、屋根パネル３ａを製造する。
この際、ユニット建物２ａでは、床小梁２５ａに液封ダンパー５ａを介して錘６ａが吊り下げられているから、液封ダンパー５ａと錘６ａを工場等の設備の整った場所で速く、しかも、寸法精度よく取り付けることができる。
この１階の建物ユニット１ａ、２階の建物ユニット２ａ、屋根パネル３ａを施工現場に運搬する。
【００５５】
施工現場では、予め設けられている基礎９ａの上に、９個の建物ユニット１ａを据え付けて１階を形成し、この１階の建物ユニット１ａの上に９個の建物ユニット２ａを据え付けて２階を形成し、この２階の建物ユニット２ａの上に屋根パネル３ａを取り付けたり、床仕上げ材９９ａを敷いたり、種々な仕上げを行うと、ユニット建物Ｕａが完成する。
【００５６】
このようにして完成されたユニット建物Ｕａでは、２階の建物ユニット２ａには、平行な床小梁２５ａの上に床根太２６ａが差し渡されて取り付けられ、この床根太２６ａの上に床材が取り付けられ、この床材の上に制振シート８ａが取り付けられているので、この制振シート８ａの上に床仕上げ材９９ａを取り付けて使用していると、子供等が床仕上げ材９９ａの上で飛び跳ねたり、人が歩いたり、床仕上げ材９９ａの上に物が落下したりしても、この衝撃は、床材２４ａと床根太２６ａとの間に設けられている制振シート８ａによって緩和されて床材２４ａや、その下の床根太２６ａ、床小梁２５ａが振動し難い。
【００５７】
又、２階の建物ユニット２ａのほぼ平行な対向する床小梁２５ａのほぼ中央に横架材４ａが差し渡され、この横架材４ａに液封ダンパー５ａを介して錘６ａが吊り下げられている。
従って、この床で子供が飛び跳ねたり、人が歩いたり、床の上に物を落下させたりして発生した床振動は、この床小梁２５ａに差し渡された横架材４ａ、液封ダンパー５ａを経て錘６ａを振動させる。又、この錘６ａの振動は、反射して反対方向、即ち、液封ダンパー５ａ、横架材４ａを経て床小梁２５ａを振動させる。この両方の振動は液封ダンパー５ａを通過する間に大きく減衰する。
【００５８】
即ち、液封ダンパー５ａの密封容器５１ａの上板５１１ａの上に突出している軸５２ａが横架材４ａに取り付けられ、この密封容器５１ａの側壁５１２ａに錘６ａが取り付けられているから、床小梁２５ａから横架材４ａを通って軸５２ａに伝わった振動と反射した振動は、軸５２ａに取り付けられたゴム製の上板５１１ａの弾性と、ダンピングプレート５４ａと密封容器５１ａの側壁５１２ａとの間の小さな隙間５９ａを往復移動する粘稠なシリコーンオイル５３ａの粘性により、大きく減衰するのである。
【００５９】
又、錘６ａがほぼ２５ｋｇで重く、しかも、単に吊り下げられているから、長く、しかも、両端が床梁に取り付けられている床小梁２５ａとは、固有振動が大きく異なり、この固有振動の大きく異なる両者を振動させるために大きなエネルギーが消費される。
更に、１階の天井と２階の床との間に吸音材７ａが設けられているので、２階の床振動によって発生する衝撃音が、この吸音材７ａによって吸収されて、下階に届き難くなっている。
【００６０】
このように２階の床に設けられた制振シート８ａ、床小梁に液封ダンパー５ａを介して吊り下げられた錘６ａ、１階の床と２階の天井の間に設けられた吸音材７ａというように幾重にも振動や衝撃音を低減させる構造になっているので、２階の床振動によって発生する衝撃音が１階まで伝わり難く、ＬＨ−５５を達成することができる。
【００６１】
実際に、このユニット建物Ｕａの２階の建物ユニット２ａの床の上に錘を落下させて重量衝撃音を発生させて、１階の建物ユニット１ａの部屋で衝撃音をＪＩＳに定めた測定方法で測定したところ、ＬＨ−５３以下であった。
【００６２】
【発明の効果】
請求項１記載の発明は、ほぼ平行な対向する床小梁のほぼ中央に横架材が差し渡され、この横架材の中央にダンパーを介して錘が吊り下げられているから、上階の床の上を子供が飛び跳ねたり、人が歩いたり、床の上に物を落下させたりして床が振動しても、ダンパーと錘の作用により、この床振動は急激に減衰する。
特に、このダンパーは、重量床衝撃音でも効果的に低減させることができ、ＬＨ−５５を達成することができる。
【００６３】
請求項２記載の発明は、請求項１記載の発明と同様に、対向する床梁に複数の床小梁がほぼ平行に差し渡され、このほぼ平行な対向する床小梁のほぼ中央に横架材が差し渡され、この横架材の中央にダンパーを介して錘が吊り下げられ、平行な床小梁の上に床根太が差し渡されて取り付けられ、この床根太の上に床材が取り付けられ、この床材の上に制振シートが取り付けられているから、上階の床の上を子供が飛び跳ねたり、人が歩いたり、床の上に物を落下させたりして床が振動しても、ダンパーと錘と制振シートの作用により、請求項１記載の発明より、更に、床衝撃音を低減させることができ、ＬＨ−５５を達成することができる。
【００６４】
請求項３記載の発明は、下階の天井と上階の床との間に吸音材が設けられ、上階の対向する床梁に複数の床小梁がほぼ平行に差し渡され、このほぼ平行な対向する床小梁のほぼ中央に横架材が差し渡され、この横架材の中央にダンパーを介して錘が吊り下げられているから、ダンパーと錘と吸音材の作用により、請求項１記載の発明より、更に、床衝撃音を低減させることができ、ＬＨ−５５、ＬＬ−５５を達成することができる。
【００６５】
請求項４記載の発明は、下階の天井と上階の床との間に吸音材が設けられ、上階の対向する床梁に複数の床小梁がほぼ平行に差し渡され、このほぼ平行な対向する床小梁のほぼ中央に横架材が差し渡され、この横架材の中央にダンパーを介して錘が吊り下げられ、更に、この平行な床小梁の上に床根太が差し渡されて取り付けられ、この床根太の上に床材が取り付けられ、この床材の上に制振シートが取り付けられているから、ダンパーと錘と制振シートと吸音材の作用により、請求項１記載の発明より、更に、床衝撃音を低減させることができ、ＬＨ−５５、ＬＬ−５５を達成することができる。
【００６６】
請求項５記載の発明は、ダンパーが、ゴム製の上板と金属製の側壁と金属製の下板とからなる密封容器と、この密封容器の上板を貫通した状態に上板に取り付けられた軸と、密封容器の中に充填された粘稠な液体と、密封容器の側壁との間に小さな隙間を設けた状態にして密封容器内の軸に取り付けられたダンピングプレートとからなる液封ダンパーであり、錘が１０ｋｇ〜３０ｋｇの重量になされているから、床小梁から横架材を通って軸に伝わった振動と、この振動が反射される振動とが、ダンパーを通過する間に大きく減衰する。
【００６７】
又、錘は１０ｋｇ〜３０ｋｇと重く、従って、床と錘の両者の固有振動は大きく異なり、この固有振動の異なる両者を振動させるために大量のエネルギーが消費され、振動し難くなっている。
従って、この液封ダンパーを取り付けた床構造は、ダンパーと錘による振動の減衰と固有振動の異なりによる振動し難くなっていることの相乗効果で、床振動は急激に低減し、重量床衝撃でも効果的に低くすることができ、ＬＨ−５５を達成することができる。
更に、この液封ダンパーは高さを低くすることができるので、下階の天井と上階の床との間の狭い場所にも簡単に取り付けることができ、極めて便利である。
【００６８】
請求項６記載の発明は、床構造が請求項１または２に記載の床構造になされている建物ユニットであるから、ダンパーと錘を工場等の設備の整った場所で速く、寸法精度よく取り付けることができる。
そして、この建物ユニットを据え付けるだけで、床振動が少なく、従って、床衝撃音の発生が極めて小さいＬＨ−５５を達成することのできるユニット建物となる。
【図面の簡単な説明】
【図１】本発明の一実施例を示すもので、ユニット建物を示す斜視図である。
【図２】１階の建物ユニットの骨格を示す斜視図である。
【図３】２階の建物ユニットの骨格を示す斜視図である。
【図４】図３のＡ部分を拡大して示す斜視図である。
【図５】図４のＢ−Ｂ線における断面図である。
【図６】ダンパーの位置を示す床の平面説明図である。
【図７】ダンパーの一部切欠平面図である。
【図８】図７のＣ−Ｃ線における断面図である。
【図９】本発明の他の実施例を示すもので、（イ）はユニット建物を示す斜視図、（ロ）は（イ）のＤ部分を各構成部材に分解して示す斜視図である。
【図１０】１階の建物ユニットを示す一部斜視図である。
【図１１】２階の建物ユニットを示す一部切欠斜視図である。
【図１２】図１１のＥ部分を拡大して示す斜視図である。
【図１３】液封ダンパーの位置を示す床の平面説明図である。
【図１４】（イ）は液封ダンパーの取付状態を示す平面図、（ロ）は（イ）の正面図、（ハ）は（イ）の側面図である。
【図１５】液封ダンパーの断面図である。
【図１６】液封ダンパーを取り付けている状態を示す斜視図である。
【符号の説明】
Ｕ、Ｕａ          ユニット建物
１、１ａ          １階の建物ユニット
２、２ａ          ２階の建物ユニット
２２、２２ａ      床梁
２４、２４ａ      床材
２５、２５ａ      床小梁
３、３ａ          屋根パネル
４、４ａ          横架材
５、５ａ          ダンパー（液封ダンパー）
５１、５１ａ      密封容器
５１１、５１１ａ  上板
５１２、５１２ａ  側壁
５１３、５１３ａ  下板
５２、５２ａ      軸
５３、５３ａ      粘稠な液体（シリコーンオイル）
５４、５４ａ      ダンピングプレート
６、６ａ          錘
７ａ              吸音材
８ａ              制振シート
９９、９９ａ      床仕上げ材
【図１】
0004018866.tif 000002
【図２】
0004018866.tif 000003
【図３】
0004018866.tif 000004
【図４】
0004018866.tif 000005
【図５】
0004018866.tif 000006
【図６】
0004018866.tif 000007
【図７】
0004018866.tif 000008
【図８】
0004018866.tif 000009
【図９】
0004018866.tif 000010
【図１０】
0004018866.tif 000011
【図１１】
0004018866.tif 000012
【図１２】
0004018866.tif 000013
【図１３】
0004018866.tif 000014
【図１４】
0004018866.tif 000015
【図１５】
0004018866.tif 000016
【図１６】
0004018866.tif 000017